(57)【要約】  複数の復調モジュールをもつダイバーシチ構成のＯＦＤＭ受信装置において、各復調モジュールで備えられているＡＧＣ部（１６、２６）にて算出される受信信号のレベルを調節するためのゲインの値を相関合成部（３５）に供給し、相関合成部（３５）では、前記ゲインの値を基に算出した係数を各復調モジュールの相関検出部（１７、２７）から供給された相関信号に乗算後、これら乗算結果を加算して合成相関信号を生成し、ＦＦＴ窓位置再生部（３２）やクロック誤差検出部（３３）に供給することによって、ＦＦＴ窓位置再生やクロック再生を行う。１つの復調モジュールに依存せず適切にクロック再生、ＦＦＴ窓位置再生を行うことができる。
2006123557.tif 000002
【特許請求の範囲】
【請求項１】
それぞれ、１シンボル期間がガード期間と有効シンボル期間から構成されるＯＦＤＭ信号を受信し、ＯＦＤＭ信号からシンボルデータを復調する複数個の復調モジュールと、
前記複数個の復調モジュールから出力される復調データを合成して合成された復調データを生成する合成手段とを備えた復調装置であって、
前記復調モジュールの各々が、
受信信号の大きさを一定レベルに調整するため、ＡＧＣ制御信号を生成するＡＧＣ手段と、
前記ＡＧＣ手段によってゲイン調整された複素ベースバンドＯＦＤＭ信号と前記複素ベースバンドＯＦＤＭ信号を有効シンボル期間遅延した信号との相関波形を検出する相関検出手段とを備え、
前記復調モジュールの前記相関検出手段から出力される前記相関波形信号を合成して、合成相関信号を生成する相関合成手段をさらに備え、
前記相関合成手段は、前記復調モジュールの各々の前記ＡＧＣ手段から出力される前記ＡＧＣ制御信号が表すゲインの値を基に算出した係数をそれぞれの相関波形信号に乗算し、この乗算結果を加算して合成相関信号を生成する
ことを特徴とする復調装置。
【請求項２】
それぞれ、１シンボル期間がガード期間と有効シンボル期間から構成されるＯＦＤＭ信号を受信し、ＯＦＤＭ信号からシンボルデータを復調する複数個の復調モジュールと、
前記複数個の復調モジュールから出力される復調データを合成して合成された復調データを生成する合成手段とを備えた復調装置であって、
前記復調モジュールの各々が、
受信信号の大きさを一定レベルに調整するため、ＡＧＣ制御信号を生成するＡＧＣ手段と、
実際に復調された結果の信号と、実際に復調された結果の信号と本来復調された結果として想定される信号との誤差の電力の比であるＣ／Ｎ値を検出するＣ／Ｎ値検出手段と、
前記ＡＧＣ手段によってゲイン調整された複素ベースバンドＯＦＤＭ信号と前記複素ベースバンドＯＦＤＭ信号を有効シンボル期間遅延した信号との相関波形を検出する相関検出手段とを備え、
前記復調モジュールの前記相関検出手段から出力される前記相関波形信号を合成して、合成相関信号を生成する相関合成手段をさらに備え、
前記相関合成手段は、前記復調モジュールの各々の前記Ｃ／Ｎ値検出手段で検出された前記Ｃ／Ｎ値を基に算出した係数をそれぞれの相関波形信号に乗算し、この乗算結果を加算して合成相関信号を生成する
ことを特徴とする復調装置。
【請求項３】
それぞれ、１シンボル期間がガード期間と有効シンボル期間から構成されるＯＦＤＭ信号を受信し、ＯＦＤＭ信号からシンボルデータを復調する複数個の復調モジュールと、
前記複数個の復調モジュールから出力される復調データを合成して合成された復調データを生成する合成手段とを備えた復調装置であって、
前記復調モジュールの各々が、
受信信号の大きさを一定レベルに調整するため、ＡＧＣ制御信号を生成するＡＧＣ手段と、
ＯＦＤＭ信号の同期獲得が成功しているか否かの判定を行い、その結果として同期獲得判定値を出力する同期獲得判定手段と、
前記ＡＧＣ手段によってゲイン調整された複素ベースバンドＯＦＤＭ信号と前記複素ベースバンドＯＦＤＭ信号を有効シンボル期間遅延した信号との相関波形を検出する相関検出手段とを備え、
前記復調モジュールの前記相関検出手段から出力される前記相関波形信号を合成して、合成相関信号を生成する相関合成手段をさらに備え、
前記相関合成手段は、前記復調モジュールの各々の前記同期獲得判定手段から出力された前記同期獲得判定値を基に算出した係数をそれぞれの相関波形信号に乗算し、この乗算結果を加算して合成相関信号を生成する
ことを特徴とする復調装置。
【請求項４】
前記相関合成手段が、各復調モジュールの前記ＡＧＣ手段から供給された前記ＡＧＣ制御信号が表すゲインの値に反比例する値を算出し、その値を係数としてそれぞれのモジュールの相関手段から供給された相関波形に乗算し、その乗算の結果を加算することによって前記合成相関信号を生成することを特徴とする請求項１に記載の復調装置。
【請求項５】
前記相関合成手段が、各復調モジュールの前記ＡＧＣ手段から供給された前記ＡＧＣ制御信号が表すゲインの値の中で最も小さい値を出力した復調モジュールの相関波形に対する係数を「１」に設定し、他の復調モジュールからの相関波形に対する係数を「０」に設定し、各モジュールから供給された相関波形に乗算し、その乗算の結果を加算することによって前記合成相関信号を生成することを特徴とする請求項１に記載の復調装置。
【請求項６】
前記相関合成手段が、各復調モジュールの前記ＡＧＣ手段から供給された前記ＡＧＣ制御信号が表すゲインの値の中で、ある条件を満たす値を出力した復調モジュールの相関波形に対する係数を、「０」より大きい値に設定し、上記の条件を満たさない値を出力した復調モジュールからの相関波形に対する係数を「０」に設定し、また、すべての復調モジュールで上記の条件を満たさない値が出力されたときは、すべての復調モジュールの相関波形に対する係数を「０」より大きい値に設定し、各モジュールから供給された相関波形に乗算し、その乗算の結果を加算することによって前記合成相関信号を生成することを特徴とする請求項１に記載の復調装置。
【請求項７】
前記相関合成手段が、各復調モジュールの前記Ｃ／Ｎ値検出手段から供給されたＣ／Ｎ値に比例する値を算出し、その値を係数としてそれぞれの復調モジュールの相関手段から供給された相関波形に乗算し、その乗算の結果を加算することによって前記合成相関信号を生成することを特徴とする請求項２に記載の復調装置。
【請求項８】
前記相関合成手段が、各復調モジュールの前記Ｃ／Ｎ値検出手段から供給されたＣ／Ｎ値の中で最も大きい値を出力した復調モジュールの相関波形に対する係数を「１」に設定し、他の復調モジュールからの相関波形に対する係数を「０」に設定し、それぞれの復調モジュールから供給された相関波形に乗算し、その乗算の結果を加算することによって前記合成相関信号を生成することを特徴とする請求項２に記載の復調装置。
【請求項９】
前記相関合成手段が、各復調モジュールの前記Ｃ／Ｎ値検出手段から供給されたＣ／Ｎ値の中で、ある条件を満たす値を出力した復調モジュールの相関波形に対する係数を「０」より大きい値に設定し、上記の条件を満たさない値を出力した他の復調モジュールからの相関波形に対する係数を「０」に設定し、また、すべての復調モジュールで上記の条件を満たさない値が出力されたときは、すべての復調モジュールの相関波形に対する係数を「０」より大きい値に設定し、各モジュールから供給された相関波形に乗算し、その乗算の結果を加算することによって前記合成相関信号を生成することを特徴とする請求項２に記載の復調装置。
【請求項１０】
前記相関合成手段が、各復調モジュールの前記同期獲得判定手段から供給された同期獲得判定値の中で同期獲得に成功していることを示す値を出力した復調モジュールの相関波形に対する係数を「０」より大きい値に設定し、同期獲得に成功していないことを示す値を出力した復調モジュールからの相関波形に対する係数を「０」に設定し、また、すべての復調モジュールで同期獲得に成功していないことを示す値が出力されたときは、すべての復調モジュールの相関波形に対する係数を「０」より大きい値に設定し、各モジュールから供給された相関波形に乗算し、その乗算の結果を加算することによって前記合成相関信号を生成することを特徴とする請求項３に記載の復調装置。
【請求項１１】
さらにクロック信号を生成するクロック生成手段を有し、
前記復調モジュールの各々が入力された信号を周波数変換するチューナと、前記クロック信号に同期して、前記チューナの出力をデジタル信号に変換して出力するＡ／Ｄ変換手段とをさらに有し、
前記クロック生成手段は、前記相関合成手段から出力される合成相関波形に基づいて前記クロック信号の周波数誤差及び位相誤差を検出し、該誤差が小さくなるように周波数及び位相を制御する
ことを特徴とする請求項１に記載の復調装置。
【請求項１２】
さらに、窓位置信号を生成する窓位置再生手段を有し、
前記復調モジュールの各々が、
前記Ａ／Ｄ変換手段の出力を複素ベースバンド信号に変換するＩＱ復調手段と、
前記ＩＱ復調手段の出力を受け、前記窓位置信号をもとにして窓位置ごとにデータを捕捉して高速フーリエ変換を行う高速フーリエ変換手段とをさらに有し、
前記窓位置再生手段が、前記相関合成手段から出力される合成相関波形に基づいて前記窓位置信号を生成する
ことを特徴とする請求項１１に記載の復調装置。
【請求項１３】
請求項１に記載の復調装置を備える受信装置。
【請求項１４】
さらにクロック信号を生成するクロック生成手段を有し、
前記復調モジュールの各々が入力された信号を周波数変換するチューナと、前記クロック信号に同期して、前記チューナの出力をデジタル信号に変換して出力するＡ／Ｄ変換手段とをさらに有し、
前記クロック生成手段は、前記相関合成手段から出力される合成相関波形に基づいて前記クロック信号の周波数誤差及び位相誤差を検出し、該誤差が小さくなるように周波数及び位相を制御する
ことを特徴とする請求項２に記載の復調装置。
【請求項１５】
さらに、窓位置信号を生成する窓位置再生手段を有し、
前記復調モジュールの各々が、
前記Ａ／Ｄ変換手段の出力を複素ベースバンド信号に変換するＩＱ復調手段と、
前記ＩＱ復調手段の出力を受け、前記窓位置信号をもとにして窓位置ごとにデータを捕捉して高速フーリエ変換を行う高速フーリエ変換手段とをさらに有し、
前記窓位置再生手段が、前記相関合成手段から出力される合成相関波形に基づいて前記窓位置信号を生成する
ことを特徴とする請求項１４に記載の復調装置。
【請求項１６】
請求項２に記載の復調装置を備える受信装置。
【請求項１７】
さらにクロック信号を生成するクロック生成手段を有し、
前記復調モジュールの各々が入力された信号を周波数変換するチューナと、前記クロック信号に同期して、前記チューナの出力をデジタル信号に変換して出力するＡ／Ｄ変換手段とをさらに有し、
前記クロック生成手段は、前記相関合成手段から出力される合成相関波形に基づいて前記クロック信号の周波数誤差及び位相誤差を検出し、該誤差が小さくなるように周波数及び位相を制御する
ことを特徴とする請求項３に記載の復調装置。
【請求項１８】
さらに、窓位置信号を生成する窓位置再生手段を有し、
前記復調モジュールの各々が、
前記Ａ／Ｄ変換手段の出力を複素ベースバンド信号に変換するＩＱ復調手段と、
前記ＩＱ復調手段の出力を受け、前記窓位置信号をもとにして窓位置ごとにデータを捕捉して高速フーリエ変換を行う高速フーリエ変換手段とをさらに有し、
前記窓位置再生手段が、前記相関合成手段から出力される合成相関波形に基づいて前記窓位置信号を生成する
ことを特徴とする請求項１７に記載の復調装置。
【請求項１９】
請求項３に記載の復調装置を備える受信装置。
【請求項２０】
それぞれ、１シンボル期間がガード期間と有効シンボル期間から構成されるＯＦＤＭ信号を受信し、ＯＦＤＭ信号からシンボルデータを復調する複数個の復調ステップと、
前記複数個の復調ステップにおける復調の結果得られる復調データを合成して合成された復調データを生成する合成ステップとを備えた復調方法であって、
前記復調ステップの各々が、
受信信号の大きさを一定レベルに調整するため、ＡＧＣ制御信号を生成するＡＧＣステップと、
前記ＡＧＣステップによってゲイン調整された複素ベースバンドＯＦＤＭ信号と前記複素ベースバンドＯＦＤＭ信号を有効シンボル期間遅延した信号との相関波形を検出する相関検出ステップとを備え、
前記復調ステップの前記相関検出ステップにおける相関検出の結果得られる前記相関波形信号を合成して、合成相関信号を生成する相関合成ステップをさらに備え、
前記相関合成ステップは、前記復調ステップの各々の前記ＡＧＣステップにおけるゲイン調整の結果得られる前記ＡＧＣ制御信号が表すゲインの値を基に算出した係数をそれぞれの相関波形信号に乗算し、この乗算結果を加算して合成相関信号を生成する
ことを特徴とする復調方法。
【請求項２１】
それぞれ、１シンボル期間がガード期間と有効シンボル期間から構成されるＯＦＤＭ信号を受信し、ＯＦＤＭ信号からシンボルデータを復調する複数個の復調ステップと、
前記複数個の復調ステップにおける復調の結果得られる復調データを合成して合成された復調データを生成する合成ステップとを備えた復調方法であって、
前記復調ステップの各々が、
受信信号の大きさを一定レベルに調整するため、ＡＧＣ制御信号を生成するＡＧＣステップと、
実際に復調された結果の信号と、実際に復調された結果の信号と本来復調された結果として想定される信号との誤差の電力の比であるＣ／Ｎ値を検出するＣ／Ｎ値検出ステップと、
前記ＡＧＣステップによってゲイン調整された複素ベースバンドＯＦＤＭ信号と前記複素ベースバンドＯＦＤＭ信号を有効シンボル期間遅延した信号との相関波形を検出する相関検出ステップとを備え、
前記復調ステップの前記相関検出ステップにおける相関検出の結果得られる前記相関波形信号を合成して、合成相関信号を生成する相関合成ステップをさらに備え、
前記相関合成ステップは、前記復調ステップの各々の前記Ｃ／Ｎ値検出ステップで検出された前記Ｃ／Ｎ値を基に算出した係数をそれぞれの相関波形信号に乗算し、この乗算結果を加算して合成相関信号を生成する
ことを特徴とする復調方法。
【請求項２２】
それぞれ、１シンボル期間がガード期間と有効シンボル期間から構成されるＯＦＤＭ信号を受信し、ＯＦＤＭ信号からシンボルデータを復調する複数個の復調ステップと、
前記複数個の復調ステップにおける復調の結果得られる復調データを合成して合成された復調データを生成する合成ステップとを備えた復調方法であって、
前記復調ステップの各々が、
受信信号の大きさを一定レベルに調整するため、ＡＧＣ制御信号を生成するＡＧＣステップと、
ＯＦＤＭ信号の同期獲得が成功しているか否かの判定を行い、その結果として同期獲得判定値を生成する同期獲得判定ステップと、
前記ＡＧＣステップによってゲイン調整された複素ベースバンドＯＦＤＭ信号と前記複素ベースバンドＯＦＤＭ信号を有効シンボル期間遅延した信号との相関波形を検出する相関検出ステップとを備え、
前記復調ステップの前記相関検出ステップにおける相関検出の結果得られる前記相関波形信号を合成して、合成相関信号を生成する相関合成ステップをさらに備え、
前記相関合成ステップは、前記復調ステップの各々の前記同期獲得判定ステップにおける同期獲得判定の結果得られる前記同期獲得判定値を基に算出した係数をそれぞれの相関波形信号に乗算し、この乗算結果を加算して合成相関信号を生成する
ことを特徴とする復調方法。
【発明の詳細な説明】
【技術分野】
【０００１】
本発明は、１シンボル期間がガード期間と有効シンボル期間から構成され、ガード期間には有効シンボル期間の後ろの一部が巡回的に複写されるＯＦＤＭ信号を受信するＯＦＤＭ受信装置に適した復調装置に関し、特にダイバーシチ構成の受信装置におけるクロック再生技術と高速フーリエ変換窓位置再生技術に関するものである。本発明はまた、上記の復調装置を備える受信装置、及び復調方法に関する。
【背景技術】
【０００２】
従来のダイバーシチ構成のＯＦＤＭ受信装置は、複数の復調モジュールの中にマスタとなるモジュールが存在しており、そのモジュールでのみクロック再生や高速フーリエ変換窓位置再生を行い、その結果を他の復調モジュールでも用いていたため、マスタとなるモジュールにおける受信信号のレベルが低下するなどして、クロック再生や高速フーリエ変換窓位置再生がうまくいかなくなると、他のモジュールもその影響を受けてしまうため、復調性能が大きく劣化してしまうものであった。
この改善策として、全ての復調モジュールでクロック再生や高速フーリエ変換窓位置再生に用いられる相関波形信号を生成し、各復調モジュールの前記相関波形信号を合成あるいは選択し、その結果からクロック再生や高速フーリエ変換窓位置再生を行うことにより、１つのモジュールに依存しない構成としている（例えば、特許文献１参照）。
また、各ブランチで受信したＯＦＤＭ信号自体を合成し、その相関波形信号を生成してクロック再生や高速フーリエ変換窓位置再生に用いることも考えられるが、このような方法では、ＯＦＤＭ信号を合成するのに各ブランチ間で位相を合わせる必要が生じ、それには別途各ブランチで受信したＯＦＤＭ信号間の位相差を検出する回路と位相差を補正する回路が必要となってしまう。しかし、相関波形信号を合成する場合には、各ブランチの信号間の位相差の検出と補正を必要としない構成とすることが可能となる。
【特許文献１】特開２００１−１６８８３３号公報
【発明の開示】
【発明が解決しようとする課題】
【０００３】
しかしながら、各復調モジュールが、受信信号の大きさをあるレベルに調整するＡＧＣ（自動利得制御）手段をもち、前記ＡＧＣ手段によってゲイン調整された複素ベースバンドＯＦＤＭ信号を用いて相関波形を生成する場合、前記相関波形信号の合成あるいは選択において、各復調モジュールの相関波形信号のピーク値に比例した値を乗算して合成する構成やピーク値の大きなものを選択する構成（特許文献１参照）とすると、ＡＧＣによるレベル調整の影響を受け、受信電力などが小さく、雑音成分の割合の大きい信号の相関波形のピーク値も大きくなってしまう可能性があり、そのような相関波形にピーク値を乗算し合成した合成相関波形、またはそのピーク値によって選択された選択相関波形をクロック再生や高速フーリエ変換窓位置再生に用いると、その性能を大きく劣化させてしまうことがあった。
【課題を解決するための手段】
【０００４】
本発明は、それぞれ、１シンボル期間がガード期間と有効シンボル期間から構成されるＯＦＤＭ信号を受信し、ＯＦＤＭ信号からシンボルデータを復調する複数個の復調モジュールと、前記複数個の復調モジュールから出力される復調データを合成して合成された復調データを生成する合成手段を備えた復調装置であって、前記復調モジュールの各々が、受信信号の大きさを一定レベルに調整するため、ＡＧＣ制御信号を生成するＡＧＣ手段と、前記ＡＧＣ手段によってゲイン調整された複素ベースバンドＯＦＤＭ信号と前記複素ベースバンドＯＦＤＭ信号を有効シンボル期間遅延した信号との相関波形を検出する相関検出手段とを備え、前記復調モジュールの前記相関検出手段から出力される前記相関波形信号を合成して、合成相関信号を生成する相関合成手段をさらに備え、前記相関合成手段は、前記復調モジュールの各々の前記ＡＧＣ手段から出力される前記ＡＧＣ制御信号が表すゲインの値を基に算出した係数をそれぞれの相関波形信号に乗算し、この乗算結果を加算して合成相関信号を生成することを特徴とする復調装置を提供する。
【発明の効果】
【０００５】
本発明によれば、受信信号電力が小さいなどで雑音成分の割合の大きい相関波形の影響を抑圧でき、クロック再生や高速フーリエ変換窓位置再生をより正確に行うことができるという効果がある。
【図面の簡単な説明】
【０００６】
【図１】この発明の実施の形態１の復調装置を示すブロック図である。
【図２】実施の形態１で用いられる相関合成部の一例を示すブロック図である。
【図３】実施の形態１で用いられる相関合成部の他の例を示すブロック図である。
【図４】実施の形態１で用いられる相関合成部のさらに他の例を示すブロック図である。
【図５】この発明の実施の形態２の復調装置を示すブロック図である。
【図６】実施の形態２で用いられる相関合成部の一例を示すブロック図である。
【図７】実施の形態２で用いられる相関合成部の他の例を示すブロック図である。
【図８】実施の形態２で用いられる相関合成部のさらに他の例を示すブロック図である。
【図９】この発明の実施の形態３の復調装置を示すブロック図である。
【図１０】実施の形態３で用いられる相関合成部の一例を示すブロック図である。
【符号の説明】
【０００７】
１０、２０  復調モジュール、  １１、２１  チューナ、  １２、２２  Ａ／Ｄ変換部、  １３、２３  ＩＱ復調部、  １４、２４  ＦＦＴ部、  １５、２５  復調部、  １６、２６  ＡＧＣ部、  １７、２７  相関検出部、  １８、２８  Ｃ／Ｎ検出部、  １９、２９  同期獲得判定部、  ３１  合成部、  ３２  ＦＦＴ窓位置再生部、  ３３  クロック誤差検出部、  ３４  クロック再生部、  ３５、３６、３７  相関合成部、  １０１、１０２、１１１、１１２、１２１、１２２、１３１、１３２、１４１、１４２、１５１、１５２、１６１、１６２  乗算部、  １０３、１０４  逆数演算部、  １０５、１１５、１２５、１３５、１４５、１５５、１６５、１７５  加算部、  １１３、１２３、１４３、１５３、１６３  係数決定部、  １３３、１３４  比例値算出部。
【発明を実施するための最良の形態】
【０００８】
実施の形態１．
図１はこの発明の実施の形態１の復調装置の構成を示すブロック図であって、２つの復調モジュール（第１の復調モジュールと第２の復調モジュール）１０、２０によってダイバーシチ受信を行う構成となっている。図１において、受信信号は各復調モジュール１０、２０のチューナ１１、１２にそれぞれ並列に入力される。入力された信号はチューナ１１、２１によってＩＦ帯に周波数変換された後、Ａ／Ｄ変換部１２、２２に供給される。Ａ／Ｄ変換部１２、２２は、後述のクロック再生部３４から供給されるクロック信号に同期して出力信号を生成するものであり、チューナ１１、１２からの出力をデジタル信号に変換を行い、その結果の値をＩＱ復調部１３、２３に供給する。ＩＱ復調部１３，２３において、入力されたデータは複素ベースバンド信号に変換され、高速フーリエ変換（ＦＦＴ）部１４、２４に供給される。ＦＦＴ部１４、２４では、ＦＦＴ窓位置再生部３２からの窓位置信号をもとに窓位置ごとにデータを捕捉し、ＯＦＤＭ信号の各サブキャリアのデータを復調する高速フーリエ変換を行い、その結果の値を復調部１５、２５に供給する。各復調部１５、２５は、ＦＦＴ部１４、２４の出力から各サブキャリアで伝送されているシンボルデータを復調し、受信データを生成し、各モジュールからの出力として合成部３１に供給する。合成部３１では、各モジュールから供給された受信データが合成され、最終的な受信データが出力される。【０００９】
本構成においては、このＩＱ復調部１３、２３で変換された複素ベースバンド信号はＡＧＣ（自動利得制御）部１６、２６にも供給され、ＡＧＣ部１６、２６にて、受信信号をあるレベルに調整するためのゲインの値を表すＡＧＣ制御信号が算出され、チューナ１１、２１に供給される。チューナ１１、２１においては、ＡＧＣ部１６、２６より供給されたＡＧＣ制御信号により、チューナ１１、２１から出力されるＩＦ信号のレベルを調節する。このような構成により、チューナ１１、１２以降の信号はＡＧＣによるレベル調整をされた信号となる。【００１０】
また、ＩＱ復調部１３、２３で変換された複素ベースバンド信号は相関検出部１７、２７にも供給され、相関検出部１７、２７では、複素ベースバンド信号（ＩＱ復調部１３、２３の出力）と前記複素ベースバンド信号を有効シンボル期間遅延した信号との相関波形Ｃ１、Ｃ２を検出し、その結果（検出された相関波形を表す信号）は相関合成部３５に供給される。【００１１】
相関合成部３５には、相関検出部１７、２７から出力される相関波形Ｃ１、Ｃ２のほか、ＡＧＣ部１６、２６で算出されたＡＧＣ制御信号が供給される。【００１２】
相関合成部３５では、それぞれのモジュールのＡＧＣ部１６、２６から供給されたＡＧＣ制御信号が表すゲインの値に反比例する値を算出し、その値をそれぞれのモジュールの相関検出部１７、２７から供給された相関波形Ｃ１、Ｃ２に乗算し、その乗算の結果として得られた相関波形を加算することによって、相関波形の合成を行う。【００１３】
相関合成部３５は、例えば、図２に示すように、第１及び第２の乗算部１０１及び１０２と、第１及び第２の逆数算出部１０３及び１０４と、加算部１０５とを有する。第１の逆数算出部１０３は、ＡＧＣ部１６から供給されたＡＧＣ制御信号が表すゲインの値に反比例する値を算出する。第２の逆数算出部１０４は、ＡＧＣ部２６から供給されたＡＧＣ制御信号が表すゲインの値に反比例する値を算出する。第１の乗算部１０１は、第１の逆数算出部１０３で算出された値を、相関検出部１７から供給された相関波形Ｃ１に乗算する。第２の乗算部１０２は、第２の逆数算出部１０４で算出された値を、相関検出部２７から供給された相関波形Ｃ２に乗算する。加算部１０５は、第１及び第２の乗算部１０３及び１０４の乗算結果を加算する。【００１４】
相関合成部３５によって合成された相関波形は、クロック誤差検出部３３とＦＦＴ窓位置再生部３２に供給される。クロック誤差検出部３３においては、相関合成部３５から供給された合成相関波形から、クロックの周波数誤差や位相誤差を検出し、その誤差を表す誤差信号をクロック再生部３４に供給する。クロック再生部３４では、その誤差信号を用いて、その誤差がより小さくなるように周波数や位相を制御したクロックを出力し、Ａ／Ｄ変換部１２、２２やクロック信号を必要とする他の部分に供給する。【００１５】
クロック再生部３４は、例えば発振器を内蔵し、クロック誤差検出部３３からの誤差信号に基づいて該内蔵発振器の発振周波数を変更するものであってもよく、図示しない外部のクロック信号供給手段からクロックを受け、そのパルスエッジを間引くなどして周波数を調整した後出力するものであっても良い。【００１６】
上記のクロック誤差検出部３３と、クロック再生部３４とで、Ａ／Ｄ変換部１２、２２などに供給されるクロック信号を生成するクロック生成手段が構成されている。【００１７】
ＦＦＴ窓位置再生部３２ではまた、供給された合成相関波形からＦＦＴ窓位置（複数の復調モジュールで共通の窓位置）を検出し、窓位置信号をＦＦＴ部１４、２４に供給することによってＦＦＴ窓位置の制御を行う。【００１８】
本実施の形態は、ＯＦＤＭ信号の相関波形を用い、クロックの再生を行う構成であり、複数の復調モジュールの各々における相関波形を用いてクロックの再生を行うのではなく、複数の復調モジュールの相関波形を合成し、合成した相関波形を用いて、複数の復調モジュールで共通のクロック再生手段の制御を行っている。【００１９】
なお、上記の例では、復調モジュール（１０、２０）が２個設けられているが、復調モジュールの数は３以上であっても良い。その場合も、相関合成部３５は、上記と同様に構成することができる。一般化して言えば、復調モジュールがｎ個（ｎは２以上の整数）設けられている場合、相関合成部３５は、それぞれ復調モジュールに対応する第１乃至第ｎの乗算部と、それぞれ復調モジュールに対応する第１乃至第ｎの逆数算出部と、加算部とを有し、第１乃至第ｎの逆数算出部が、それぞれ対応する復調モジュールのＡＧＣ部から供給されたＡＧＣ制御信号が表すゲインの値に反比例する値を算出し、第１乃至第ｎの乗算部が、それぞれ対応する逆数算出部で算出された値を、それぞれ対応する復調モジュールの相関検出部から供給された相関波形に乗算し、加算部が第１乃至第ｎの乗算部の出力の総和を求め、この総和を合成相関波形として出力する。【００２０】
また、上記の相関合成部３５の代わりに、各モジュールのＡＧＣ部１６、２６から供給されたＡＧＣ制御信号が表すゲインの値の中で最も小さい値を出力した復調モジュールの相関波形に対する係数を「１」に設定し、他の復調モジュールからの相関波形に対する係数を「０」に設定し、その値（設定された係数）をそれぞれのモジュールの相関検出部１７、２７から供給された相関波形にＣ１、Ｃ２に乗算し、その乗算の結果として得られた相関波形を加算することによって、相関波形の合成を行う相関合成部３５を用いても良い。【００２１】
そのような相関合成部の具体例が、図３に示されている。図３に示される相関合成部は、それぞれ復調モジュール１０、２０に対応する乗算部１１１、１１２と、係数決定部１１３と、加算部１１５とを有する。
乗算部１１１、１１２は、それぞれ対応する復調モジュール１０、２０の相関検出部１７、２７から相関波形Ｃ１、Ｃ２を受け、これらに係数決定部１１３から供給される係数を乗算する。係数決定部１１３は復調モジュール１０、２０のＡＧＣ部１６、２６からＡＧＣ制御信号Ｇ１、Ｇ２を受けて、それらが表すゲインの値の中で最も小さい値を出力したＡＧＣ部を含む復調モジュールの相関検出部の出力を受けている乗算部（１１１、１１２のうちのいずれか）で乗算に用いる係数を「１」に設定し、他の乗算部（１１１、１１２のうちの他方）で乗算に用いられる係数を「０」に設定する。乗算部１１１、１１２は、係数決定部１１３で設定された係数を用いて乗算を行う。加算部１１５は、乗算部１１１、１１２の出力を加算して、加算結果を合成された関波形として出力する。以上の処理は、複数の復調モジュールからの相関波形の中から一つを選択するのと等価である。【００２２】
なお、上記の例では、復調モジュール（１０、２０）が２個設けられているが、復調モジュールの数は３以上であっても良い。その場合も、相関合成部３５は、上記と同様に構成することができる。一般化して言えば、復調モジュールがｎ個（ｎは２以上の整数）設けられている場合、相関合成部３５は、それぞれ復調モジュールに対応する第１乃至第ｎの乗算部と、係数決定部と、加算部とを有し、第１乃至第ｎの乗算部は、それぞれ対応する復調モジュールの相関検出部から相関波形を受け、これらに係数決定部から供給される係数を乗算する。係数決定部は復調モジュールのＡＧＣ部からＡＧＣ制御信号を受けて、それらが表すゲインの値の中で最も小さい値を出力したＡＧＣ部を含む復調モジュールの相関検出部の出力を受けている乗算部で乗算に用いる係数を「１」に設定し、他の乗算部で乗算に用いられる係数を「０」に設定する。第１乃至第ｎの乗算部はそれぞれ、係数決定部で設定された係数を用いて乗算を行う。加算部は、第１乃至第ｎの乗算部の出力の総和を求め、この総和を合成相関波形として出力する。【００２３】
さらにまた、上記の相関合成部３５の代わりに、各モジュールのＡＧＣ部１６、２６から供給されたＡＧＣ制御信号が表すゲインの値の中である閾値以下の値を出力した復調モジュールの相関波形に対する係数を「１／（上記の閾値以下の値を出力したモジュールの数）」に設定し、上記の閾値より大きい値を出力した他の復調モジュールからの相関波形に対する係数を「０」に設定し、また、すべての復調モジュールで上記の閾値より大きい値が出力されたときは、すべての復調モジュールの相関波形に対する係数を「１／（すべての復調モジュールの数）」に設定し、その値をそれぞれのモジュールの相関検出部１７、２７から供給された相関波形に乗算し、その乗算の結果として得られた相関波形の加算することにより、相関波形の合成を行う相関合成部３５を用いても良い。【００２４】
そのような相関合成部３５の具体例が図４に示されている。図４に示す相関合成部３５は、それぞれ復調モジュール１０、２０に対応する乗算部１２１、１２２と、係数決定部１２３と、加算部１２５とを有する。
乗算部１２１、１２２は、それぞれ対応する復調モジュール１０、２０の相関検出部１７、２７から相関波形Ｃ１、Ｃ２を受け、これらに係数決定部１２３から供給される係数を乗算する。係数決定部１２３は復調モジュール１０、２０のＡＧＣ部１６、２６からＡＧＣ制御信号Ｇ１、Ｇ２を受けて、ＡＧＣ制御信号Ｇ１、Ｇ２が表すゲインの値が所定の閾値以下かどうかの判定を行い、ＡＧＣ制御信号Ｇ１、Ｇ２が表すゲインの値がともに上記閾値以下であれば、乗算器１２１、１２２で用いる係数をともに１／２とし、ＡＧＣ制御信号Ｇ１、Ｇ２が表すゲインの値のうち、一方（例えばＧ１が表すゲインの値）が上記閾値以下であり、他方が上記閾値よりも大きければ、上記一方のＡＧＣ制御信号を出力したＡＧＣ部に対応する乗算器（１２１）で用いる係数を「１」に設定し、他方の乗算器（１２２）で用いる係数を「０」に設定し、ＡＧＣ制御信号Ｇ１、Ｇ２が表すゲインの値がともに上記閾値よりも大きければ、乗算器１２１、１２２で用いる係数をともに１／２に設定する。
乗算部１２１、１２２は、係数決定部１２３で設定された係数を用いて乗算を行う。加算部１２５は、乗算部１２１、１２２の出力を加算して、加算結果を合成された相関波形として出力する。【００２５】
なお、上記の例では、復調モジュール（１０、２０）が２個設けられているが、復調モジュールの数は３以上であっても良い。その場合も、相関合成部３５は、上記と同様に構成することができる。一般化して言えば、復調モジュールがｎ個（ｎは２以上の整数）設けられている場合、相関合成部３５は、それぞれ復調モジュールに対応する第１乃至第ｎの乗算部と、係数決定部と、加算部とを有し、第１乃至第ｎの乗算部は、それぞれ対応する復調モジュールの相関検出部から相関波形を受け、これらに係数決定部から供給される係数を乗算する。係数決定部は復調モジュールのＡＧＣ部からＡＧＣ制御信号を受けて、それらが表すゲインの値が所定の閾値以下かどうかの判定を行い、ＡＧＣ制御信号が表すゲインの値が上記閾値以下の復調モジュールの数ｍを求め、ｍが１以上であれば、ＡＧＣ制御信号が表すゲインの値が上記閾値以下の復調モジュールに対応する乗算器で用いる係数を１／ｍに設定し、ＡＧＣ制御信号が表すゲインの値が上記閾値よりも大きい復調モジュールに対応する乗算器で用いる係数を「０」に設定し、ｍが０であれば、第１乃至第ｎ乗算器で用いる係数をすべて１／ｎに設定する。
第１乃至第ｎの乗算部は、それぞれ係数決定部で設定された係数を用いて乗算を行う。加算部は、第１乃至第ｎ乗算部の出力の総和を求め、この総和を合成された相関波形として出力する。【００２６】
なお、上記の例では、ＡＧＣ制御信号が表すゲインの値がある閾値以下かどうかの判定を行っているが、上記以外の条件を満たしているかどうかの判定を行い、判定結果に基づいて係数を定めることとしても良い。また、乗算器で用いる係数を、「１／ｍ」や「１／ｎ」以外の０より大きい値に設定しても良い。【００２７】
実施の形態２．
図５はこの発明の実施の形態２の復調装置の構成を示すブロック図であって、実施の形態１と同様に２つの復調モジュール１０、２０によってダイバーシチ受信を行う構成となっている。【００２８】
図５に示す復調装置の構成は、図１に示す復調装置の構成と概して同じであるが、各モジュールにおいて、実際に復調された結果の信号と、実際に復調された結果の信号と本来復調された結果として想定される信号との誤差の電力の比であるＣ／Ｎ（信号電力対誤差信号電力比）値を検出するＣ／Ｎ検出部１８、２８を備えており、相関合成部３６には、相関検出部１７、２７で検出された相関波形Ｃ１、Ｃ２とＣ／Ｎ検出部１８、２８で算出されたＣ／Ｎ値Ｆ１、Ｆ２が供給される。【００２９】
相関合成部３６では、それぞれのモジュールのＣ／Ｎ検出部１８、２８から供給されたＣ／Ｎ値Ｆ１、Ｆ２に比例する値を算出し、その値をそれぞれのモジュールの相関検出部１７、２７から供給された相関波形Ｃ１、Ｃ２に乗算し、その乗算の結果として得られた相関波形を加算することによって、相関波形の合成を行い、合成された相関波形を誤差検出部３３とＦＦＴ窓位置再生部３２に供給し、ＦＦＴ窓位置再生やクロック再生を行う。【００３０】
相関合成部３６は、例えば、図６に示すように、第１及び第２の乗算部１３１及び１３２と、第１及び第２の比例値算出部１３３及び１３４と、加算部１３５とを有する。第１の比例値算出部１３３は、Ｃ／Ｎ検出部１８から供給されたＣ／Ｎ値Ｆ１に比例する値を算出する。第２の比例値算出部１３４は、Ｃ／Ｎ検出部２８から供給されたＣ／Ｎ値Ｆ２に比例する値を算出する。第１の乗算部１３１は、第１の比例値算出部１３３で算出された値を、相関検出部１７から供給された相関波形Ｃ１に乗算する。第２の乗算部１３２は、第２の比例値算出部１３４で算出された値を、相関検出部２７から供給された相関波形Ｃ２に乗算する。加算部１３５は、第１及び第２の乗算部１３１及び１３２の乗算結果を加算する。【００３１】
なお、上記の例では、復調モジュール（１０、２０）が２個設けられているが、復調モジュールの数は３以上であっても良い。その場合も、相関合成部３６は、上記と同様に構成することができる。一般化して言えば、復調モジュールがｎ個（ｎは２以上の整数）設けられている場合、相関合成部３６は、それぞれ復調モジュールに対応する第１乃至第ｎの乗算部と、それぞれ復調モジュールに対応する第１乃至第ｎの比例値算出部と、加算部とを有し、第１乃至第ｎの比例値算出部が、それぞれ対応する復調モジュールのＣ／Ｎ検出部から供給されたＣ／Ｎ値に比例する値を算出し、第１乃至第ｎの乗算部が、それぞれ対応する比例値算出部で算出された値を、それぞれ対応する復調モジュールの相関検出部から供給された相関波形に乗算し、加算部が第１乃至第ｎの乗算部の出力の総和を求め、この総和を合成相関波形として出力する。【００３２】
相関合成部３６の他の例においては、各モジュールのＣ／Ｎ検出部１８、２８から供給されたＣ／Ｎ値の中で最も大きい値を出力した復調モジュールの相関波形に対する係数を「１」に設定し、他の復調モジュールからの相関波形に対する係数を「０」に設定し、その値をそれぞれのモジュールの相関検出部１７、２７から供給された相関波形に乗算し、その乗算の結果として得られた相関波形を加算することによって、相関波形の合成を行う。このような動作は、各復調モジュールからの相関波形の選択を行うことと等価である。【００３３】
そのような相関合成部の具体例が、図７に示されている。図７に示される相関合成部は、それぞれ復調モジュール１０、２０に対応する乗算部１４１、１４２と、係数決定部１４３と、加算部１４５とを有する。【００３４】
乗算部１４１、１４２は、それぞれ対応する復調モジュール１０、２０の相関検出部１７、２７から相関波形Ｃ１、Ｃ２を受け、これらに係数決定部１４３から供給される係数を乗算する。係数決定部１４３は復調モジュール１０、２０のＣ／Ｎ検出部１８、２８からＣ／Ｎ検出信号Ｆ１、Ｆ２を受けて、それらが表すＣ／Ｎ値の中で最も大きい値を出力したＣ／Ｎ検出部を含む復調モジュールの相関検出部の出力を受けている乗算部（１４１、１４２のうちのいずれか）で乗算に用いる係数を「１」に設定し、他の乗算部（１４１、１４２うちの他方）で乗算に用いられる係数を「０」に設定する。乗算部１４１、１４２は、係数決定部１４３で設定された係数を用いて乗算を行う。加算部１４５は、乗算部１４１、１４２の出力を加算して、加算結果を合成された関波形として出力する。以上の処理は、複数の復調モジュールからの相関波形の中から一つを選択するのと等価である。【００３５】
なお、上記の例では、復調モジュール（１０、２０）が２個設けられているが、復調モジュールの数は３以上であっても良い。その場合も、相関合成部３６は、上記と同様に構成することができる。一般化して言えば、復調モジュールがｎ個（ｎは２以上の整数）設けられている場合、相関合成部３６は、それぞれ復調モジュールに対応する第１乃至第ｎの乗算部と、係数決定部と、加算部とを有し、第１乃至第ｎの乗算部は、それぞれ対応する復調モジュールのＣ／Ｎ検出部からＣ／Ｎ値を受け、これらに係数決定部から供給される係数を乗算する。係数決定部は復調モジュールのＣ／Ｎ検出部からＣ／Ｎ検出信号を受けて、それらの中で最も大きい値を出力したＣ／Ｎ検出部を含む復調モジュールの相関検出部の出力を受けている乗算部で乗算に用いる係数を「１」に設定し、他の乗算部で乗算に用いられる係数を「０」に設定する。第１乃至第ｎの乗算部はそれぞれ、係数決定部で設定された係数を用いて乗算を行う。加算部は、第１乃至第ｎの乗算部の出力の総和を求め、この総和を合成相関波形として出力する。【００３６】
相関合成部３６のさらに他の例においては、各モジュールのＣ／Ｎ検出部１８、２８から供給されたＣ／Ｎ値の中である閾値以上の値を出力した復調モジュールの相関波形に対する係数を「１／（上記の閾値以上の値を出力したモジュールの数）」に設定し、上記の閾値未満の値を出力した他の復調モジュールからの相関波形に対する係数を「０」に設定し、また、すべての復調モジュールで上記の閾値未満の値が出力されたときは、すべての復調モジュールの相関波形に対する係数を「１／（すべての復調モジュールの数）」に設定し、その値をそれぞれのモジュールの相関検出部１７、２７から供給された相関波形に乗算し、その乗算の結果として得られた相関波形の加算することにより、相関波形の合成を行う。【００３７】
そのような相関合成部３６の具体例が図８に示されている。図８に示す相関合成部３６は、それぞれ復調モジュール１０、２０に対応する乗算部１５１、１５２と、係数決定部１５３と、加算部１５５とを有する。
乗算部１５１、１５２は、それぞれ対応する復調モジュール１０、２０の相関検出部１７，２７から相関波形Ｃ１、Ｃ２を受け、これらに係数決定部１５３から供給される係数を乗算する。係数決定部１５３は復調モジュール１０、２０のＣ／Ｎ検出部１８、２８からＣ／Ｎ検出値Ｆ１、Ｆ２を受けて、Ｃ／Ｎ検出値Ｆ１、Ｆ２が所定の閾値以上かどうかの判定を行い、Ｃ／Ｎ検出値Ｆ１、Ｆ２がともに上記閾値以上であれば、乗算器１５１、１５２で用いる係数をともに１／２とし、Ｃ／Ｎ検出値Ｆ１、Ｆ２のうち、一方（例えばＦ１）が上記閾値以上であり、他方が上記閾値未満であれば、上記一方のＣ／Ｎ検出器に対応する乗算器（１５１）で用いる係数を「１」に設定し、他方の乗算器（１５２）で用いる係数を「０」に設定し、Ｃ／Ｎ検出値Ｆ１、Ｆ２がともに上記閾値未満であれば、乗算器１５１、１５２で用いる係数をともに１／２に設定する。
乗算部１５１、１５２は、係数決定部１５３で設定された係数を用いて乗算を行う。加算部１５５は、乗算部１５１、１５２の出力を加算して、加算結果を合成された相関波形として出力する。【００３８】
なお、上記の例では、復調モジュール（１０、２０）が２個設けられているが、復調モジュールの数は３以上であっても良い。その場合も、相関合成部３６は、上記と同様に構成することができる。一般化して言えば、復調モジュールがｎ個（ｎは２以上の整数）設けられている場合、相関合成部３６は、それぞれ復調モジュールに対応する第１乃至第ｎの乗算部と、係数決定部と、加算部とを有し、第１乃至第ｎの乗算部は、それぞれ対応する復調モジュールの相関検出部から相関波形を受け、これらに係数決定部から供給される係数を乗算する。係数決定部は復調モジュールのＣ／Ｎ検出部からＣ／Ｎ検出値を受けて、それらが所定の閾値以上かどうかの判定を行い、Ｃ／Ｎ検出値が上記閾値以上の復調モジュールの数ｍを求め、ｍが１以上であれば、Ｃ／Ｎ値が上記閾値以上の復調モジュールに対応する乗算器で用いる係数を１／ｍに設定し、Ｃ／Ｎ値が上記閾値未満の復調モジュールに対応する乗算器で用いる係数を「０」に設定し、ｍが０であれば、第１乃至第ｎ乗算器で用いる係数をすべて１／ｎに設定する。
第１乃至第ｎの乗算部は、それぞれ係数決定部で設定された係数を用いて乗算を行う。加算部は、第１乃至第ｎ乗算部の出力の総和を求め、この総和を合成相関波形として出力する。【００３９】
なお、上記の例では、Ｃ／Ｎ値がある閾値以下かどうかの判定を行っているが、上記以外の条件を満たしているかどうかの判定を行い、判定結果に基づいて係数を定めることとしても良い。また、乗算器で用いる係数を、「１／ｍ」や「１／ｎ」以外の０より大きい値に設定しても良い。【００４０】
実施の形態３．
図９はこの発明の実施の形態３の復調装置の構成を示すブロック図であって、実施の形態１、２と同様に２つの復調モジュール１０、２０によってダイバーシチ受信を行う構成となっている。【００４１】
図９に示す復調装置の構成は、図１、図５に示す復調装置の構成と概して同じであるが、伝送されるＯＦＤＭ信号に既知の同期信号が含まれていることが想定されており、各モジュールにおいて、この既知の同期信号を正しく復調できるか否かで、ＯＦＤＭ信号の同期獲得が成功しているか否かの判定を行い、その結果として同期獲得判定値Ａ１、Ａ２を出力する同期獲得判定部１９、２９を備えており、相関合成部３７には、相関検出部１７、２７で検出された相関波形と同期獲得判定部１９、２９から出力される同期獲得判定値が供給される。【００４２】
相関合成部３７では、同期獲得判定部１９、２９から供給される同期獲得判定値Ａ１、Ａ２の中で同期獲得に成功していることを示す値を出力した復調モジュールの相関波形に対する係数を「１／（同期獲得に成功していることを示す値を出力したモジュールの数）」に設定し、同期獲得に成功していないことを示す値を出力した復調モジュールからの相関波形に対する係数を「０」に設定し、また、すべての復調モジュールで同期獲得に成功していないことを示す値が出力されたときは、すべての復調モジュールの相関波形に対する係数を「１／（すべての復調モジュールの数）」に設定して、各モジュールから供給された相関波形に乗算し、その乗算の結果として得られた相関波形を加算することによって合成相関信号を生成し、合成された相関波形を誤差検出部３３とＦＦＴ窓位置再生部３２に供給し、ＦＦＴ窓位置再生やクロック再生を行う。【００４３】
そのような相関合成部３７の具体例が図１０に示されている。図１０に示す相関合成部３７は、それぞれ復調モジュール１０、２０に対応する乗算部１６１、１６２、係数決定部１６３と、加算部１６５とを有する。
乗算部１６１、１６２は、それぞれ対応する復調モジュール１０、２０の相関検出部１７、２７の相関波形Ｃ１、Ｃ２を受け、これらに係数決定部１６３から供給される係数を乗算する。係数決定部１６３は復調モジュール１０、２０の同期獲得判定部１９，２９から同期獲得判定値Ａ１、Ａ２を受けて、同期獲得判定値Ａ１、Ａ２がともに同期獲得に成功していることを示す値のものであれば、乗算器１６１、１６２で用いる係数をともに１／２とし、同期獲得判定値Ａ１、Ａ２ののうち、一方（例えばＡ１）が同期獲得に成功していることを示し、他方が同期獲得に成功していることを示さなければ、対応する乗算器（１６１）で用いる係数を「１」に設定し、他方の乗算器（１６２）で用いる係数を「０」に設定し、同期獲得判定値Ａ１，Ａ２がともに同期獲得に成功していることを示さなければ、乗算器１６１、１６２で用いる係数をともに１／２に設定する。
乗算部１６１、１６２は、係数決定部１６３で設定された係数を用いて乗算を行う。加算部１６５は、乗算部１６１、１６２の出力を加算して、加算結果を合成された相関波形として出力する。【００４４】
なお、上記の例では、復調モジュール（１０、２０）が２個設けられているが、復調モジュールの数は３以上であっても良い。その場合も、相関合成部３７は、上記と同様に構成することができる。一般化して言えば、復調モジュールがｎ個（ｎは２以上の整数）設けられている場合、相関合成部３７は、それぞれ復調モジュールに対応する第１乃至第ｎの乗算部と、係数決定部と、加算部とを有し、第１乃至第ｎの乗算部は、それぞれ対応する復調モジュールの相関検出部から相関波形を受け、これらに係数決定部から供給される係数を乗算する。係数決定部は復調モジュールの同期獲得判定部から同期獲得判定値を受けて、それらが同期獲得に成功していることを示す値のものかどうかの判定を行い、同期獲得判定値が同期獲得に成功していることを示す復調モジュールの数ｍを求め、ｍが１以上であれば、同期獲得判定値が同期獲得に成功していることを示す復調モジュールに対応する乗算器で用いる係数を１／ｍに設定し、同期獲得判定値が同期獲得に成功していることを示さない復調モジュールに対応する乗算器で用いる係数を「０」に設定し、ｍが０であれば、第１乃至第ｎ乗算器で用いる係数をすべて１／ｎに設定する。
第１乃至第ｎの乗算部は、それぞれ係数決定部で設定された係数を用いて乗算を行う。加算部は、第１乃至第ｎ乗算部の出力の総和を求め、この総和を合成された相関波形として出力する。【００４５】
なお、上記の例では、同期獲得判定値が同期獲得に成功していることを示すかどうかの判定を行っているが、上記以外の条件を満たしているかどうかの判定を行い、判定結果に基づいて係数を定めることとしても良い。また、乗算器で用いる係数を、「１／ｍ」や「１／ｎ」以外の０より大きい値に設定しても良い。【００４６】
さらに、実施の形態１では、図１に示すＡＧＣ部１６、２６から供給されたＡＧＣ制御信号が表すゲインの値を基に相関波形の合成を行う形態を、実施の形態２では、図５に示すＣ／Ｎ検出部１８、２８から供給されたＣ／Ｎ値を基に相関波形の合成を行う形態を、実施の形態３では、図９に示す同期獲得判定部１９、２９から供給された同期獲得判定値を基に相関波形の合成を行う形態について個別に説明したが、ＡＧＣ部、Ｃ／Ｎ検出部、同期獲得判定部のすべてを備えるなどして、ＡＧＣ制御信号が表すゲインの値、Ｃ／Ｎ値、同期獲得判定値を組み合わせた情報を基に相関波形の合成を行う形態としてもよい。【００４７】
以上復調装置について説明したが、上記の復調装置をその一部とする受信装置には、上記したのと同様の効果が得られ、そのような受信装置もまた、本発明の一部を成す。さらに上記の復調装置について説明した復調方法もまた本発明の一部を成す。
【産業上の利用可能性】
【００４８】
本発明の活用例として、地上デジタル放送や無線ＬＡＮの受信装置に適用できる。
【図１】
2006123557.tif 000003
【図２】
2006123557.tif 000004
【図３】
2006123557.tif 000005
【図４】
2006123557.tif 000006
【図５】
2006123557.tif 000007
【図６】
2006123557.tif 000008
【図７】
2006123557.tif 000009
【図８】
2006123557.tif 000010
【図９】
2006123557.tif 000011
【図１０】
2006123557.tif 000012
【国際調査報告】
2006123557.tif 000013
2006123557.tif 000014
2006123557.tif 000015
2006123557.tif 000016